(57)【要約】【課題】サイドウォール部に貼り付けた表示物が剥がれ難いと共に、表示物による表示内容の自由度が高い空気入りタイヤを提供する。【解決手段】  左右一対のサイドウォール部２のうち少なくとも片側のサイドウォール部２の表面に加硫後に表示物１１を貼り付けた空気入りタイヤにおいて、表示物１１を複数の構成要素１２から構成すると共に、サイドウォール部２の表面に設けられた周囲よりも窪んだ形状の表示部９の底面１０に配置する。【選択図】図３
2014121899.tif 000002
【特許請求の範囲】
【請求項１】
左右一対のサイドウォール部のうち少なくとも片側のサイドウォール部の表面に加硫後に表示物を貼り付けた空気入りタイヤにおいて、
前記表示物が複数の構成要素からなると共に、前記サイドウォール部の表面に設けられた周囲よりも窪んだ形状の表示部の底面に配置されたことを特徴とする空気入りタイヤ。
【請求項２】
前記表示部を、タイヤ周方向に沿って延在すると共に、前記サイドウォール部の表面に対して窪んだ形状にしたことを特徴とする請求項１に記載の空気入りタイヤ。
【請求項３】
前記表示部の周囲にタイヤ外側に突出する枠部を設けたことを特徴とする請求項１又は２に記載の空気入りタイヤ。
【請求項４】
前記表示部の深さが０．１ｍｍ〜５ｍｍであることを特徴とする請求項１〜３のいずれかに記載の空気入りタイヤ。
【請求項５】
前記表示部の底面にエポキシ基、ハロゲン基、カルボキシル基、無水マレイン酸、シアノ基のうちの少なくとも１種類の官能基で変性されたポリマーを配置したことを特徴とする請求項１〜４のいずれかに記載の空気入りタイヤ。
【請求項６】
前記表示部の底面に下記式（１）で表わされる化合物又は下記式（１）で表わされる化合物とホルムアルデヒドの縮合物とをブレンドしたポリマーを配置したことを特徴とする請求項１〜５のいずれかに記載の空気入りタイヤ。
【化１】
2014121899.tif 000005
（式中、Ｒ1 ，Ｒ2 ，Ｒ3 ，Ｒ4 及びＲ5 は、水素、ヒドロキシル基、又は炭素数１〜８のアルキル基である。）
【請求項７】
前記表示物の構成要素のそれぞれが外接する四角形又は楕円のいずれか小さい方の面積の総和が表示部の底面の面積の８０％〜１００％であることを特徴とする請求項１〜６のいずれかに記載の空気入りタイヤ。
【請求項８】
前記表示物の構成要素が文字であることを特徴とする請求項１〜７のいずれかに記載の空気入りタイヤ。
【請求項９】
前記表示物が金属からなることを特徴とする請求項１〜８のいずれかに記載の空気入りタイヤ。
【請求項１０】
前記表示物がポリアミド系樹脂、ポリビニル系樹脂、ポリエステル系樹脂から選ばれる１種又は複数のブレンド物とポリオレフィン系エラストマーのアロイであることを特徴とする請求項１〜８のいずれかに記載の空気入りタイヤ。
【発明の詳細な説明】
【技術分野】
【０００１】
本発明は、空気入りタイヤに関し、更に詳しくは、サイドウォール部に貼り付けた表示物が剥がれ難いと共に、表示物による表示内容の自由度が高い空気入りタイヤに関する。
【背景技術】
【０００２】
従来、タイヤに意匠効果や商品アピール効果などを与えたり、タイヤの性能・性質等の情報を表示するために、成形後の空気入りタイヤのサイドウォール部に、文字、記号、模様等が表示されたラベルを貼り付けることが提案されている（例えば、特許文献１，２を参照）。
【０００３】
しかしながら、空気入りタイヤのサイドウォール部は、走行時に大きく屈曲するため、ラベルを充分な伸縮性を有する材質から製造しなければ、タイヤの屈曲に充分追従できずに剥離するという問題がある。また、特に車両外側のサイドウォール部は他の部位に比べて日光が当たり易いため、この部位に貼り付けられたラベルは、紫外線の影響を受けて劣化し易いという問題がある。更に、表示する内容毎にラベルが製造され、表示できる内容が予め製造されたものに限定されるため、表示内容の自由度が低いという問題がある。
【先行技術文献】
【特許文献】
【０００４】
【特許文献１】特開平１０−３１９８４３号公報
【特許文献２】特許第５０７６９８９号公報
【発明の概要】
【発明が解決しようとする課題】
【０００５】
本発明の目的は、サイドウォール部に貼り付けた表示物が剥がれ難いと共に、表示物による表示内容の自由度が高い空気入りタイヤを提供することにある。
【課題を解決するための手段】
【０００６】
上記目的を達成するための本発明の空気入りタイヤは、左右一対のサイドウォール部のうち少なくとも片側のサイドウォール部の表面に加硫後に表示物を貼り付けた空気入りタイヤにおいて、前記表示物が複数の構成要素からなると共に、前記サイドウォール部の表面に設けられた周囲よりも窪んだ形状の表示部の底面に配置されたことを特徴とする。
【発明の効果】
【０００７】
本発明の空気入りタイヤは、上述のように、表示物が複数の構成要素からなり、各構成要素のサイドウォール部に対する接触面積が従来のラベル状の表示物の接触面積よりも小さくなるので、タイヤの屈曲による影響が小さくなり、表示物（構成要素）の材質に拘わらず、表示物を剥がれ難くすることが出来る。また、複数の構成要素の組み合わせにより任意の内容を表示することが出来るので、表示内容の自由度を向上することが出来る。更に、表示物が周囲より窪んだ形状の表示部の底面に配置されるので、表示物を障害物等から保護することが出来ると共に、表示部は底面側から見ると周囲が高くなった形状であり、表示物が配置される底面は上方から入射する日光に対して陰になるので、紫外線による影響を抑制して、表示物が劣化してサイドウォール部から剥離することを防止することが出来る。
【０００８】
本発明においては、表示部を、タイヤ周方向に沿って延在すると共に、サイドウォール部の表面に対して窪んだ形状にすることが好ましい。これにより、表示物が配置される表示部の底面をよりタイヤ表面から奥まった位置にすることが出来、表示物を保護する効果を高めることが出来る。
【０００９】
本発明においては、表示部の周囲に、タイヤ外側に突出する枠部を設けることが好ましい。これにより、表示物を保護する効果を更に高めることが出来る。
【００１０】
本発明においては、表示部の深さが０．１ｍｍ〜５ｍｍであることが好ましい。これにより、表示物を保護する効果を高めることが出来る。
【００１１】
本発明においては、表示部の底面にエポキシ基、ハロゲン基、カルボキシル基、無水マレイン酸、シアノ基のうちの少なくとも１種類の官能基で変性されたポリマーを配置したことが好ましい。これにより、表示物に対する接着性が高まり、表示物を剥がれ難くすることが出来る。
【００１２】
本発明においては、表示部の底面に下記式（１）で表わされる化合物又は下記式（１）で表わされる化合物とホルムアルデヒドの縮合物とをブレンドしたポリマーを配置したことが好ましい。これにより、表示物に対する接着性が高まり、表示物を剥がれ難くすることが出来る。
【化１】
2014121899.tif 000003
（式中、Ｒ1 ，Ｒ2 ，Ｒ3 ，Ｒ4 及びＲ5 は、水素、ヒドロキシル基、又は炭素数１〜８のアルキル基である。）
【００１３】
本発明においては、表示物の構成要素のそれぞれが外接する四角形又は楕円のいずれか小さい方の面積の総和が表示部の底面の面積の８０％〜１００％であることが好ましい。視認性を高度に維持しながら、表示物を剥がれ難くする効果を高めることが出来る。
【００１４】
本発明においては、表示物の構成要素が文字であることが好ましい。これにより、構成要素の組み合わせが意味のある文字列を構成することになり、様々な内容を表示し易くなる。
【００１５】
本発明においては、表示物が金属からなることが好ましい。これにより、表示物の視認性を高めると共に、紫外線等による劣化を抑えることが出来る。
【００１６】
本発明においては、表示物がポリアミド系樹脂、ポリビニル系樹脂、ポリエステル系樹脂から選ばれる１種又は複数のブレンド物とポリオレフィン系エラストマーのアロイであることが好ましい。これにより、表示物がタイヤの屈曲に対して追従し易くなり、剥離の防止には有利になる。
【図面の簡単な説明】
【００１７】
【図１】本発明の空気入りタイヤの一例を示す子午線半断面図である。
【図２】本発明の空気入りタイヤのサイドウォール部の一部を拡大して示す側面図で    ある。
【図３】図２のＸ−Ｘ矢視断面図である。
【図４】本発明の空気入りタイヤのサイドウォール部に設けた表示部の他の例を示す    断面図である。
【図５】本発明の空気入りタイヤのサイドウォール部に設けた表示部の更に他の例を    示す断面図である。
【図６】本発明の空気入りタイヤのサイドウォール部に設けた表示部と表示物との大    小関係を説明する説明図である。
【発明を実施するための形態】
【００１８】
以下、本発明の構成について添付の図面を参照しながら詳細に説明する。
【００１９】
図１に例示する空気入りタイヤＴにおいて、ＣＬはタイヤセンターライン、１はトレッド部、２はサイドウォール部、３はビード部である。左右一対のビード部３間にはカーカス層４が装架されている。このカーカス層４は、タイヤ径方向に延びる複数本の補強コードを含み、各ビード部３に配置されたビードコア５の廻りにタイヤ内側から外側に折り返されている。また、ビードコア５の外周上にはビードフィラー６が配置され、このビードフィラー６がカーカス層４の本体部分と折り返し部分により包み込まれている。
【００２０】
一方、トレッド部１におけるカーカス層４の外周側には複数層のベルト層７が埋設されている。これらベルト層７はタイヤ周方向に対して傾斜する複数本の補強コードを含み、かつ層間で補強コードが互いに交差するように配置されている。ベルト層７において、補強コードのタイヤ周方向に対する傾斜角度は例えば１０°〜４０°の範囲に設定されている。更に、ベルト層７の外周側にはタイヤ周方向に配向する繊維コードを含むベルト補強層８が設けられている。ベルト補強層８のタイヤ周方向に対するコード角度は５°以下、より好ましくは、３°以下である。
【００２１】
本発明は、このような一般的な空気入りタイヤに適用されるが、その具体的な構造は上述の基本構造に限定されるものではない。
【００２２】
本発明の空気入りタイヤの左右一対のサイドウォール部２，２のうち少なくとも片側のサイドウォール部２の表面には、図１〜３に例示するように、周囲よりも窪んだ形状の表示部９が設けられている。この実施形態では、図１，３に例示するように、表示部９は周囲のサイドウォール部２の表面よりも窪んでいる。そして、表示部９の底面１０には、表示物１１が貼り付けられている。表示物１１は複数の構成要素１２からなり、その組み合わせによって、任意の情報等を表示している。この実施形態では、図２に例示するように、構成要素１２は、１１種類のアルファベット「Ａ」，「Ｉ」，「Ｒ」，「Ｔ」，「Ｅ」，「Ｘ」，「ｎ」，「ｓ」，「ｉ」，「ｄ」，「ｅ」を含み、表示物１１として「ＡＩＲＴＥＸ  Ｉｎｓｉｄｅ」という文字列を構成している。
【００２３】
このように、表示物１１を複数の構成要素１２から構成することで、各構成要素１２のサイドウォール部２に対する接触面積が従来のラベル状の表示物の接触面積よりも小さくなるので、タイヤの屈曲による影響が小さくなり、表示物１１（構成要素１２）の材質に拘わらず、表示物１１を剥がれ難くすることが出来る。また、従来のラベル状の表示物では製造された表示物（ラベル）毎に表示内容が決まっているのに対して、本発明の表示物１１は複数の構成要素１２からなるので、その組み合わせにより任意の内容を表示することが出来、表示内容の自由度を向上することが出来る。更に、表示物１１が周囲より窪んだ形状の表示部９の底面１０に配置されるので、表示物１１を障害物等から保護することが出来ると共に、表示部９は底面１０側から見ると周囲が高くなった形状であり、表示物１１が配置される底面１０は他の部位よりも上方から入射する日光に対して陰になるので、紫外線による影響を抑制して、表示物１１が劣化してサイドウォール部２から剥離することを防止することが出来る。特に、図１〜３に例示する実施形態では、サイドウォール部２の表面に対して窪んでいるので、表示物１１が配置される表示部９の底面１０をタイヤ表面から奥まった位置にすることが出来、表示物を保護するには有利になる。
【００２４】
表示部９は、少なくとも周囲から窪んだ形状を有していれば良いが、加えて、タイヤ周方向に沿って延在していることが好ましい。即ち、表示部９の長手方向がタイヤ周方向を向いていることが好ましい。これにより、表示部９はタイヤ周方向が長くタイヤ径方向が短い形状になる。その結果、その底面１０に配置される表示物１１も、タイヤ径方向（即ち、走行時の屈曲方向）の長さが短いものになり、屈曲方向の接触面積が短くなるので、タイヤの屈曲による影響が小さくなり、表示物１１の剥離の防止には有利になる。
【００２５】
表示部９は、図１に例示するように、周囲のサイドウォール部２の表面よりも窪ませる他、図４に例示するように、表示部９の周囲にタイヤ外側に突出する枠部１３を設けて、表示部９がこの枠部１３の頂面よりも窪んだ形状とすることも出来る。この場合も、表示物１１が配置される表示部９の底面１０は周囲（枠部１３）よりも奥まっているので、表示物１１を障害物や紫外線から保護することが出来る。また、枠部１３がタイヤ外側に突出することで、特に障害物等からの保護効果を高めるには有利になる。
【００２６】
更に、図５に例示するように、周囲のサイドウォール部２の表面よりも窪んだ形状の表示部９と、タイヤ外側に突出する枠部１３とを組み合わせることも出来る。この場合、更に、表示物１１を保護する効果を高めることが出来る。
【００２７】
このとき、表示部９の深さｄが０．１ｍｍ〜５ｍｍであることが好ましい。表示部９の深さをこの範囲内にすることで、表示物１１を保護する効果を更に高めることが出来る。尚、表示部９の深さｄとは、図１，３に例示するように、表示部９を周囲のサイドウォール部２の表面よりも窪ませる場合は、周囲のサイドウォール部２の表面から表示部９の底面１０までの深さであり、図４，５に例示するように、枠部１３を設ける場合は、枠部１３の頂面から表示部９の底面１０までの深さである。
【００２８】
表示部９の深さｄが０．１ｍｍより小さいと、周囲との差が殆んど無いため、表示部９の底面１０を奥まらせることが出来ず、表示物１１を保護する効果を充分に得ることが出来ない。表示部９の深さｄが５ｍｍより大きいと、表示部９の底面１０の下方のゴムゲージが小さくなり過ぎてタイヤの耐久性が不充分になるか、枠部１３の突出高さが大きくなり過ぎて枠部１３の耐久性が悪くなる。
【００２９】
一方、表示物１１の高さｈは０．０５ｍｍ以上かつ表示部９の深さｄの５０％以下にすることが好ましい。表示物１１の高さｈが０．０５ｍｍより小さいと表示物１１の製造が困難になる。表示物１１の高さｈが表示部９の深さｄの５０％より大きいと、表示部９の深さｄに対して、表示物１１が高くなり過ぎるため、表示部９を周囲より窪ませることによる保護効果が充分に得られなくなる。
【００３０】
表示部９の底面１０には、表示物１１の剥離を防止するために、表示物１１との接着性に優れた材質を配置することが好ましい。例えば、表示部９の底面１０にエポキシ基、ハロゲン基、カルボキシル基、無水マレイン酸、シアノ基のうちの少なくとも１種類の官能基で変性されたポリマー（以下、変性ポリマーと言う）を配置することが好ましい。また、表示部９の底面１０に下記式（１）で表わされる化合物又は下記式（１）で表わされる化合物とホルムアルデヒドの縮合物とをブレンドしたポリマー（以下、ブレンドポリマーと言う）を配置することが好ましい。これら、変性ポリマーとブレンドポリマーは、例えば、シート状にして表示部９の底面１０に取り付けることが出来る。
【化２】
2014121899.tif 000004
（式中、Ｒ1 ，Ｒ2 ，Ｒ3 ，Ｒ4 及びＲ5 は、水素、ヒドロキシル基、又は炭素数１〜８のアルキル基である。）
【００３１】
本発明においては、表示部９に対する表示物１１の割合は特に限定されないが、好ましくは、図６に例示するように、表示物１１の構成要素１２のそれぞれが外接する四角形１４又は楕円１５のいずれか小さい方の面積ｓの総和が表示部の底面の面積の８０％〜１００％であると良い。この範囲に設定することで、表示物１１の視認性を高度に維持しながら、表示物１１を剥がれ難くする効果を高めることが出来る。この面積の割合が８０％より小さいと、表示部９に対して表示物１１が小さ過ぎるため、表示物１１の視認性が不充分になる。この面積の割合が１００％より大きいと、表示部９よりも表示物１１が大きくなるので、表示物１１を表示部９内に収めることが出来ない。
【００３２】
表示物１１の構成要素１２としては、文字、記号、模様等を採用することが出来るが、特に、文字であることが好ましい。構成要素１２が文字であれば、構成要素１２の組み合わせにより意味のある文字列を構成することが可能になり、様々な内容を表示することが容易になる。
【００３３】
表示物１１の材料としては、金属、樹脂、ゴム、又はそれらの複合物を採用することが出来るが、特に、金属や樹脂を用いることが好ましい。
【００３４】
表示物１１を金属から構成した場合、表示物の視認性を高めると共に、紫外線等による劣化を抑えて、耐久性を高めることが出来る。特に、電着技術でデザインを形成したニッケルベースの転写シール型の金属バラ文字を用いることが好ましい。
【００３５】
表示物１１を樹脂から構成する場合、特に、表示物１１をポリアミド系樹脂、ポリビニル系樹脂、ポリエステル系樹脂から選ばれる１種又は複数のブレンド物とポリオレフィン系エラストマーのアロイから構成することが好ましい。これにより、表示物がタイヤの屈曲に対して追従し易くなり、剥離の防止には有利になる。
【００３６】
ポリアミド系樹脂としては、例えば、ナイロン６（Ｎ６）、ナイロン６６（Ｎ６６）、ナイロン４６（Ｎ４６）、ナイロン１１（Ｎ１１）、ナイロン１２（Ｎ１２）、ナイロン６１０（Ｎ６１０）、ナイロン６１２（Ｎ６１２）、ナイロン６／６６共重合体（Ｎ６／６６）、ナイロン６／６６／６１０共重合体（Ｎ６／６６／６１０）、ナイロンＭＸＤ６（ＭＸＤ６）、ナイロン６Ｔ、ナイロン６／６Ｔ共重合体、ナイロン６６／ＰＰ共重合体、ナイロン６６／ＰＰＳ共重合体、ポリアミドとポリエーテルの共重合体、及び、それらのＮ−アルコキシアルキル化物、例えば、６−ナイロンのメトキシメチル化物、６−６１０−ナイロンのメトキシメチル化物、６１２−ナイロンのメトキシメチル化物等が挙げられる。
【００３７】
ポリビニル系樹脂としては、例えば、エチレン酢酸ビニル（EVA）、ポリビニルアルコール（ＰＶＡ）、ビニルアルコール／エチレン共重合体（ＥＶＯＨ）、ポリ塩化ビニリデン（ＰＤＶＣ）、ポリ塩化ビニル（ＰＶＣ）、塩化ビニル／塩化ビニリデン共重合体、塩化ビニリデン／メチルアクリレート共重合体、塩化ビニリデン／アクリロニトリル共重合体等が挙げられる。
【００３８】
ポリエステル系樹脂としては、例えば、ポリブチレンテレフタレート（ＰＢＴ）、ポリエチレンテレフタレート（ＰＥＴ）、ポリエチレンイソフタレート（ＰＥＩ）、ＰＥＴ／ＰＥＩ共重合体、ポリアリレート（ＰＡＲ）、ポリブチレンナフタレート（ＰＢＮ）、液晶ポリエステル、ポリオキシアルキレンジイミド酸／ポリブチレートテレフタレート共重合体などの芳香族ポリエステル、ポリエステルとポリエーテルの共重合体、ポリエステルと脂肪族ポリカーボネートの共重合体等が挙げられる。
【００３９】
ポリオレフィン系エラストマーとしては、例えば、天然ゴム、ポリイソプレン、スチレンブタジエン共重合体、ポリブタジエン、ポリエチレン、エチレンとαオレフィンの共重合体、エチレンとアルキルアクリレートの共重合体、エチレンとメタクリレートの共重合体、ポリイソブチレン、イソブチレンとパラアルキルスチレンの共重合体、イソブチレンとスチレンの共重合体、スチレンとブタジエンの共重合体、スチレンとイソプレンの共重合体、及び、それらのエポキシ化物、マレイン化物、ハロゲン化物、水素化物等が挙げられる。
【符号の説明】
【００４０】
１  トレッド部
２  サイドウォール部
３  ビード部
４  カーカス層
５  ビードコア
６  ビードフィラー
７  ベルト層
８  ベルト補強層
９  表示部
１０  底面
１１  表示物
１２  構成要素
１３  枠部
ＣＬ  タイヤセンターライン
【図１】
2014121899.tif 000006
【図２】
2014121899.tif 000007
【図３】
2014121899.tif 000008
【図４】
2014121899.tif 000009
【図５】
2014121899.tif 000010
【図６】
2014121899.tif 000011